(57)【特許請求の範囲】
【請求項１】
膨出状に形成された商品収納部（２）を備えたブリスター本体（３）と、商品収納部（２）の背面開口を塞ぐ台紙（４）とを有し、商品収納部（２）の上方に、商品陳列用のフック（５）に吊り下げ支持されるショルダー部（６）が商品収納部（２）の横幅方向に沿って設けてあり、
ブリスター本体（３）と台紙（４）とは、同一外形形状に形成されていて、両者（３・４）の外郭線に沿って設定した実質的に平坦な接着部（７）において一体に接着されており、
商品収納部（２）の上方部分とショルダー部（６）との間に、商品収納部（２）の横幅方向に沿ってショルダー部（６）の一端側から続く切り込み溝が形成されていて、ショルダー部（６）が片持ち梁状になっており、
ショルダー部（６）と、切り込み溝と、その切り込み溝を間に挟んでショルダー部（６）と向き合う商品収納部（２）の上方部分とで掛止部（１５）を構成しており、
その掛止部（１５）において、台紙（４）の強度を補う補強体（１６）が、台紙（４）の配置側とは反対側となるブリスター本体（３）の前面側に膨出形成されており、
補強体（１６）が、ショルダー部（６）に沿って商品収納部（２）の横幅方向に横長に形成した第１リブ（１７）と、前記切り込み溝の奥まった部分に位置して片持ち梁状のショルダー部（６）と商品収納部（２）の上方部分とを繋ぐ狭隘部（１８）に設けた縦向きの第２リブ（１９）とを含み、
第１リブ（１７）と第２リブ（１９）とは、第１リブ（１７）から第２リブ（１９）へと、各リブ（１７・１９）の長さ方向に対して折れ曲がって連続しているディスプレイパッケージ。
【請求項２】
第１リブ（１７）が、上下の接着部（７・７）間にはさまれた状態で膨出形成されており、
第２リブ（１９）が、ショルダー部（６）の延びる方向である左右の両側に位置する接着部（７・７）の間にはさまれた状態で膨出形成されている請求項１記載のディスプレイパッケージ。
【請求項３】
第２リブ（１９）は、その中間が商品収納部（２）の背面側に凹んだ断面凹字状を呈するよう膨出形成されている請求項２記載のディスプレイパッケージ。
【請求項４】
商品収納部（２）の下壁（１２）に、商品重量を負担する脚部（１３）が下向きに膨出形成されており、
ショルダー部（６）のフック（５）への掛止縁に、ダブルフック用の第１掛止縁（１０）と、シングルフック用の第２掛止縁（８）とが設けてある請求項１と２と３のいずれかに記載のディスプレイパッケージ。
【発明の詳細な説明】
【０００１】
【発明の属する技術分野】
本発明は、乾電池などの商品を吊り下げ陳列するためのディスプレイパッケージ、とくにパッケージ上部に片持ち梁状のショルダー部が設けてあるディスプレイパッケージに関する。
【０００２】
【従来の技術】
この種のディスプレイパッケージとして、図６に示すごとく、商品陳列棚のフックに片持ち梁状に吊り下げられるワンショルダー型のディスプレイパッケージが知られている。そのディスプレイパッケージ３１は、ディスクカートリッジ等の商品３８を収納するブリスター本体３２と、板紙製の台紙３３とからなり、ブリスター本体３２は、台紙３３に貼着されている。台紙３３は、ブリスター本体３２が貼り付けられる背面板３４と、商品陳列棚のフックに引っ掛けられる吊り下げ孔３５を有するショルダー部３６とからなる。
【０００３】
【発明が解決しようとする課題】
従来のディスプレイパッケージ３１は、ショルダー部３６を台紙３３のみで、あるいは台紙３３とその前面に熱接着されたブリスター本体３２とで平板状に形成されているだけである。そのため、商品が軽い場合には問題はないが、例えば多数個の電池をパックするなどして商品重量が増加した場合に、ショルダー部３６あるいはその突出基部である狭隘部３７がねじれてしまう。こうした掛止状況では、商品やパッケージが斜めになって、陳列効果が薄れるとともに、隣のフックに掛けたパッケージの出し入れの邪魔にもなる等の問題を生じる。
【０００４】
本発明の目的は、ワンショルダータイプの吊り下げ式ディスプレイパッケージにおいて、多数個の乾電池等のような比較的重量の大きな商品を収納した場合でも、ショルダー部がねじれ等の変形を起こすことなく、商品陳列棚のフックに吊り下げ得るようにすることにある。
【０００５】
【課題を解決するための手段】
本発明は、図１に示すごとく、商品収納部２を備えたブリスター本体３と、商品収納部２の背面開口を塞ぐ台紙４とを有し、商品収納部２の上方に、商品陳列用のフック５に吊り下げ支持されるショルダー部６が片持ち梁状に設けてあるディスプレイパッケージを対象とする。ブリスター本体３と台紙４とは、同一外形形状に形成して、両者３・４の外郭線に沿って設定した実質的に平坦な接着部７において一体に接着する。かくして、ショルダー部６を含む商品収納部２より上方の掛止部１５には、台紙４の強度を補う補強体１６がブリスター本体３の前面に膨出形成されていることを特徴とする。
【０００６】
その補強体１６は、ショルダー部６に沿って横長に形成した第１リブ１７と、ショルダー部６の突出基部の狭隘部１８に設けた縦向きの第２リブ１９とを含む。第１リブ１７は、上下の接着部７・７間に膨出形成されており、第２リブ１９は、左右の接着部７・７間に膨出形成されている。商品収納部２の下壁１２には、商品重量を負担する脚部１３を下向きに膨出形成する。ショルダー部６のフック５への掛止縁には、ダブルフック用の第１掛止縁１０と、シングルフック用の第２掛止縁８とをそれぞれ設けてある。
【０００７】
【作用および発明の効果】
ショルダー部６の掛止縁を商品陳列棚のフック５に掛止してディスプレイパッケージ１を吊り下げた状態において、商品重量を含むディスプレイパッケージ１これ全体の重量は、ショルダー部６に掛かる。しかし、ショルダー部６を含む掛止部１５におけるブリスター本体３の前面には、補強体１６を膨出形成してあるので、掛止部１５の断面係数の向上が図られている。これにより、例えば多数個の乾電池のように、比較的重量の大きな商品を商品収納部２に収容した場合でも、掛止部１５に作用する大きな曲げモーメントに耐えて、掛止部１５が変形することを防止できる。従って、商品やパッケージが斜めに傾いて、陳列効果が低下したり、隣のフックに掛けたディスプレイパッケージ１の出し入れの邪魔になることを防止できる。ブリスター本体３を利用して補強体１６を形成しているので、補強体１６を設けることに伴うコストの増加を最小限に抑えて、ディスプレイパッケージ１の強度向上を実現できる。
【０００８】
ショルダー部６に沿って第１リブ１７を横長に形成してあるので、ショルダー部６の断面係数の向上を図り、フック５への掛止時におけるショルダー部６の変形を防ぐ。ショルダー部６の突出基部の狭隘部１８にも第２リブ１９を形成したので、同様に断面係数が向上し、狭溢部１８に集中する曲げモーメントに対抗して、狭溢部１８がねじれ変形するのを防ぐことができる。
【０００９】
第１リブ１７を上下の接着部７・７間に膨出形成し、第２リブ１９を左右の接着部７・７間に膨出形成してあるので、上下幅が小さいショルダー部６と、左右幅が小さな狭隘部１８においても、それぞれの断面係数を効果的に向上させることができる。これにより、ショルダー部６などは、より重い商品を収納した場合でも、その重量モーメントに耐え得るものとなる。
【００１０】
商品収納部２の下壁１２に、商品重量を負担する脚部１３が下向きに膨出形成されていると、商品収納部２内に多数個の乾電池のごとき比較的重量の大きな商品を収納した場合でも、商品収納部２の下壁１２が下突状に変形するのを防止して、陳列時の体裁を向上できる。
【００１１】
ショルダー部６のフック５への掛止縁に、ダブルフック用の第１掛止縁１０と、シングルフック用の第２掛止縁８とを設けてあると、商品陳列棚がシングルフック、ダブルフックのいずれであっても、ディスプレイパッケージ１をフックに掛けることが可能となり、使用に便利である。
【００１２】
【発明の実施の形態】
図１ないし図５において、本発明に係るディスプレイパッケージ１は、商品収納部２を備えたブリスター本体３と、商品収納部２の背面開口を塞ぐ台紙４とからなり、商品収納部２の上方に、商品陳列用のフック５に吊り下げ支持されるショルダー部６が片持ち梁状に設けてあるワンショルダー型のパッケージである。ブリスター本体３と台紙４とは、同一外形形状に形成されており、両者３・４の外郭線に沿って設定した接着部７において、ヒートシール加工により一体に熱接着されている。接着部７において、ブリスター本体３は平坦に形成されている。
【００１３】
ショルダー部６の下縁中央には、吊り下げ凹部（第２掛止縁）８を備えている。図１に示すように、商品陳列棚のフックがシングルフックの場合には、この吊り下げ凹部８をフック５に引っ掛けることにより、ディスプレイパッケージ１を吊り下げることができる。ショルダー部６は、遊端側が下方向に曲げられた屈曲部９を有する鉤形状に形成されているとともに、下縁が直線状に切り取られているので、商品陳列棚がダブルフックの場合には、この直線部（第１掛止縁）１０を２つのフックに引っ掛けることにより、ディスプレイパッケージ１を吊り下げることができる。このようなワンショルダー型のディスプレイパッケージ１は、フック５の伸び方向だけでなく、横方向からもフック５に引っ掛けることができるので、ディスプレイパッケージ１の先入れ、先出しを容易に実現できる。
【００１４】
ブリスター本体３の商品収納部２は、縦長直方体状に膨出形成されており、商品である単三乾電池１１を上下に６個並べた状態で収納できる。商品収納部２の下壁１２の左右には、商品重量を負担する脚部１３が下向きに膨出形成されている。
【００１５】
ショルダー部６を含む商品収納部２より上方の掛止部１５には、台紙４の強度を補うための補強体１６が、ブリスター本体３の前面に膨出形成されている。この補強体１６は、ショルダー部６に設けた横向きの第１リブ１７と、ショルダー部６の右側突出基部の狭隘部１８に設けた縦向きの第２リブ１９とからなる。この第２リブ１９の上端は第１リブ１７の右端に一連につながっている。
【００１６】
第１リブ１７は、左右方向に延びるショルダー部６に沿ってこれの上下中央部位に横長に形成されており、図５に示すように上下に位置する接着部７・７間にはさまれた状態で断面コ字形状に膨出形成されている。このように、ショルダー部６に第１リブ１７を設けることにより、ショルダー部６の断面係数の向上を図ってあるので、多数個の単三乾電池１１を吊り下げ陳列する場合でも、ショルダー部６に作用する大きな曲げモーメントに耐えて、ショルダー部６の変形をよく防止する。これにより、ショルダー部６が片持ち連出されていても、商品やパッケージが斜めに傾くことによって、陳列効果が低下したり、隣のフックに掛けたディスプレイパッケージの出し入れの邪魔になることを防止できる。
【００１７】
図４において第２リブ１９は、左右に位置する接着部７・７間にはさまれた状態で突部間が断面凹字状を呈するよう膨出形成されている。すなわち、第２リブ１９の前面の外表面は、凹部２０に形成されている。このように、狭隘部１８に第２リブ１９を設けてあると、狭隘部１８の断面係数が向上するので、吊り下げ時に狭隘部１８がねじれることをよく防ぐことができる。これにより、第１リブ１７と同様に、商品やパッケージが斜めに傾くことにより生じる種々の不都合を解消できる。第１・第２リブ１７・１９の表面に凹凸を付けることで、この効果はより一層向上する。
【００１８】
上記実施例以外に、吊り下げ凹部８は左右２箇所に備えることができる。ショルダー部６の第１リブ１７は、ショルダー部６の下部周側面の縁まで設けてあってもよい。吊り下げ凹部８の形状に合わせて第１リブ１７に切り込みを設けることもできる。
【図面の簡単な説明】
【図１】斜視図である。
【図２】正面図である。
【図３】側面図である。
【図４】図２におけるＡ−Ａ線断面図である。
【図５】図２におけるＢ−Ｂ線断面図である。
【図６】従来例の斜視図である。
【符号の説明】
１  ディスプレイパッケージ
２  商品収納部
３  ブリスター本体
４  台紙
５  フック
６  ショルダー部
７ 接着部
８ 吊り下げ凹部（第２掛止縁）
１０ 直線部（第１掛止縁）
１２ 下壁
１３ 脚部
１５ 掛止部
１６ 補強体
１７ 第１リブ
１８ 狭隘部
１９ 第２リブ
【図１】
0003921316.tif 000002
【図２】
0003921316.tif 000003
【図３】
0003921316.tif 000004
【図４】
0003921316.tif 000005
【図５】
0003921316.tif 000006
【図６】
0003921316.tif 000007